(57)【特許請求の範囲】
【請求項１】
検出対象物に対して検出を行う検出部（２４ａ，２４ｂ）と、
該検出部（２４ａ，２４ｂ）における該検出対象物の検出状態に応じて検出時に出力する形態と非検出時に出力する形態との異なる２系統の出力信号を切り換える切替え部（３１，３２）と、
該切替え部（３１，３２）により切り換えられる該２系統の出力信号を出力する単一の端子（２７）を含む端子部（２９）とを有し、
前記切換え部（３１，３２）は、前記２系統の出力信号に対応する２つの電極（２５ａ，２８）を有し、該２つの電極（２５ａ，２８）を分離、短絡するスライド自在なスイッチ（３１）又は着脱自在なピン（３２）を有する構成としたことを特徴とするセンサ。
【請求項２】
検出対象物に対して検出を行う検出部（１４ａ，１４ｂ）が設けられ、該検出対象物の検出状態に応じて状態の異なる２系統の出力信号を対応して出力する単一の端子を含む端子群（１５）が設けられたセンサ（１１A，１１B）と、該センサ（１１A，１１B）を実装するための基板と、の間に該センサ（１１A，１１B）を装着して介在されるコネクタにおいて、
前記センサ（１１A，１１B）の端子群（１５）を嵌合させて、対応する接続端子（４４ａ〜４４ｄ）に接触させる嵌合部（４３ａ〜４３ｄ）と、
該センサ（１１A，１１B）の前記単一の端子より出力される前記２系統の出力信号を切り換える切換え手段（４７）と、
該切換え手段（４７）により切り換える該２系統の出力信号を出力する単一の外部端子（４５ｃ）を含む外部端子群（４５）と、
を有することを特徴とするコネクタ。
【請求項３】
前記切換え手段（４７）は、前記接続端子（４４ａ〜４４ｄ）のうち接続端子（４４ａ，４４ｄ）を分離、短絡するスライド自在なスイッチ（４７）又は着脱自在なピンを有することを特徴とする請求項２記載のコネクタ。
【発明の詳細な説明】
【０００１】
【産業上の利用分野】
本発明は、出力形態の切り換え自在なセンサに関する。
【０００２】
近年、センサの小型化が進んでおり、例えばアンプ内蔵でかつ超小型のフォトセンサも出現してきている。このようなセンサのうち、検知による出力形態を切り換えられるものもあり、その実装時、使用時の切り換えの利便性向上が望まれている。
【０００３】
【従来の技術】
従来、アンプ内蔵フォトマイクロセンサ等のセンサには、光検知時に信号出力される入光時ＯＮ型、及び光検知時に信号出力のＯＮ，ＯＦＦを切り換えられる入光時ＯＮ／ＯＦＦ型の出力形態が異なるものがある。以下、アンプ内蔵のフォトマイクロセンサを例に説明する。
【０００４】
図４に、従来の透過型フォトセンサの斜視図を示す。図４は透過型のアンプ内蔵フォトセンサであり、図４（Ａ）は投光側からの光が受光側で受光されて何も検知されていない入光状態を示しており、図４（Ｂ）は受光側で光が遮断されて検知されている遮光状態を示している。
【０００５】
図４（Ａ），（Ｂ）において、フォトセンサ１１Ａ  は、本体１２から突出された２つの検知部１３ａ，１３ｂに、発光部１４ａと受光部１４ｂとが対向して位置され、他の面から所定数の端子１５が延出する。なお、本体１２内にはアンプが内蔵されている。
【０００６】
そして、図４（Ａ）に示すように、検知部１３ａ，１３ｂ間に検出対象物１６が存在しないとき受光状態となり、図４（Ｂ）に示すように検知部１３ａ，１３ｂ間に検出対象物１６が位置するときが遮光状態となる。
【０００７】
また、図５に、従来の反射型フォトセンサの斜視図を示す。図５（Ａ）は投光側の光が受光側で受光されて検知されている入光状態を示しており、図５（Ｂ）は受光側で受光されていない遮光状態を示している。なお、図５（Ａ），（Ｂ）のフォトセンサは、図４と同様にアンプが内蔵される。
【０００８】
図５（Ａ），（Ｂ）において、フォトセンサ１１Ｂ  は、本体１２から突出された検知部１７に発光部１４ａと受光部１４ｂとが並設され、他の面から所定数の端子１５が延出する。
【０００９】
そして、図５（Ａ）に示すように、検知部１７上に検出対象物１６が位置されると、発光部１４ａからの光が検出対象物１６に反射して受光部１４ｂで受光され入光状態となる。また、図５（Ｂ）に示すように、検知部１７上に何も存在しなければ受光部１４ｂでの受光は行われず、遮光状態となる。
【００１０】
ここで、図６に、従来のフォトセンサの出力形態の説明図を示す。図６（Ａ），（Ｂ）は透過型のフォトセンサ１１Ａ  を示しているが反射型のフォトセンサ１１Ｂ  の場合も同様である。
【００１１】
図６（Ａ）は、受光状態による出力形態を切り換えることができないもので、端子１５は電源用＋端子１５ａ、信号線用Ｏ端子１５ｂ、及び０Ｖ用−端子１５ｃにより構成される。
【００１２】
また、図６（Ｂ）は、出力形態を切り換えることができるもので、端子１５は、図６（Ａ）の各端子１５ａ〜１５ｃの他に、短絡用のＬ端子１５ｄが付加されたものである。この場合、電源用＋端子１５ａとＬ端子１５ｄが接続されていない状態では、入光時（図４（Ａ），図５（Ａ））ＯＦＦ状態であり、両者が短絡されている状態では、入光時ＯＮ形態に切り換えるものである。
【００１３】
この図６（Ｂ）に示すような、出力形態を切り換えることができるフォトセンサでは、切換え時に電源＋用端子１５ａとＬ端子１５ｄを短絡させて行われるもので、実装時又は使用時に配線による切り換え作業か行われる。
【００１４】
【発明が解決しようとする課題】
しかし、出力形態の切換え可能なフォトセンサであって、特に超小型のものは肉薄であり、狭い場所に取り付けられる場合が多く、一度配線した後に出力形態を変更するときには電源用＋端子１５ａとＬ端子１５ｄを短絡させ又は交換することが困難であるという問題がある。
【００１５】
また、Ｌ端子１５ｄが設けられていることで誤配線の原因になると共に、Ｌ端子１５ｄの有無で２種類となって製造上、製品管理上煩雑になるという問題がある。
【００１６】
そこで、本発明は上記課題に鑑みなされたもので、製品の統一を図り、出力切り換えの利便性を向上させるセンサを提供することを目的とする。
【００１７】
【課題を解決するための手段】
上記課題は、検出対象物に対して検出を行う検出部と、該検出部における該検出対象物の検出状態に応じて状態の異なる２系統の出力信号を切り換える切換え部と、該切換え部により切り換えられる該２系統の出力信号を出力する単一の端子を含む端子部と、を有する構成とすることにより解決される。
【００１８】
【作用】
上述のように、検出部の検出状態に応じて状態の異なる２系統の出力信号を切換え部により切り換えて、何れかの該出力信号を端子部の単一の端子より出力させる。
【００１９】
これにより、出力信号の切換え不能なセンサの端子部の端子数と、本発明のセンサの端子部の端子数とが同一となり製品の統一化を図ることが可能となる。
【００２０】
また、切換え部は、本発明のセンサの実装後、使用時においても容易に切り換えられることから、出力切り換えの利便性の向上を図ることが可能となる。
【００２１】
【実施例】
図１に、本発明の第１実施例の構成図を示す。図１（Ａ）は斜視図であり、図１（Ｂ）はスイッチ部分を示した図である。
【００２２】
図１（Ａ），（Ｂ）において、センサ２１は、特に図示しないがアンプ内蔵の透過型フォトマイクロセンサであり、樹脂等で成形される本体２２に２つの突出部２３ａ，２３ｂが一体的に形成されており、該突出部２３ａ，２３ｂに対応して発光部２４ａと受光部２４ｂとが対向してそれぞれ設けられる。この発光部２４ａと受光部２４ｂとにより検出対象物（図示せず）を検出する検出部を構成する。
【００２３】
すなわち、突出部２３ａ，２３ｂに設けられる発光部２４ａ及び受光部２４ｂとの間には空間が形成され、この空間に検出対象物が位置されることで検出状態となる。
【００２４】
なお、発光部２４ａ、受光部２４ｂを設けるために、必ずしも突出部２３ａ，２４ｂを形成する必要はなく、対向する発光部２４ａ及び受光部２４ｂの間に空間が形成されていれば足りるもので、例えば本体２２の検出部分のみを凹形状としてもよい。
【００２５】
一方、本体２２内には、電源系の＋電極２５ａ、−電極２６ａと、信号系のＯ電極２７ａ及び切換えのＬ電極２８が形成される。Ｌ電極２８は、検出部での検出による出力形態、すなわち検出時にオン信号又はオフ信号の何れかを出力させるために切り換えるためのものである。
【００２６】
そして、＋電極２５ａからは本体外部に電源用の＋端子２５が延出し、−電極２６ａからは本体外部に電源用の−端子２６が延出する。そして、Ｏ電極２７ａからは本体外部にＯ端子２７が延出する。このＯ端子２７がＬ電極２８の状態で出力信号を出力する。＋端子２５、−端子２６、及びＯ端子２７により端子部２９を構成する。
【００２７】
また、本体２２には、＋電極２５ａとＬ電極２８が表出する開口部３０が形成され、該開口部３０に短絡板（図に表われず）が形成された切換え部である樹脂製のスライドスイッチ３１が嵌合される。このスライドスイッチ３１は、開口部３１からの脱落防止のために係合部３１ａが一体的に形成され、図１（Ｂ）の矢印方向にスライドさせたときに＋電極２５ａとＬ電極２８を短絡させるものである。
【００２８】
すなわち、センサ２１は、図６で説明したように、Ｌ電極２８と＋電極２５ａとが短絡状態で、Ｏ端子２７からは受光部２４ｂの受光時（検出対象物を検知していない状態）にオフ状態からオン状態の出力信号が出力されるものである。
【００２９】
このように、センサ２１を実装した後であっても、２系統の出力信号の形態を単一の端子より容易に切り換えることができる。また、切り換えを要しないセンサも本発明のセンサ２１も共に３端子で形成できることとなり、製造上、製品管理上の統一を図ることができるものである。
【００３０】
次に、図２に、第１実施例の他の実施例の構成図を示す。図２は、図１のセンサ２１において、本体２２の開口部３０部分を含む下部を細身として段差部２２ａを形成し、該開口部３０に短絡板３２ａが形成された切換え部である着脱自在な樹脂製のピン３２が挿入されるものである。この場合、ピン３２が脱落しないように枠体の固定具３３が段差部２２ａに嵌合される。
【００３１】
すなわち、＋電極２５ａとＬ電極２８を短絡させる場合にはピン３２を開口部３０に挿入し、分離させる場合にはピン３２を挿入しない状態とするものである。
【００３２】
次に、図３に、本発明の第２実施例の構成図を示す。図３は、従来のセンサ１１Ａ  （図４）用のコネクタ４１を示した斜視図である。図３において、コネクタ４１は樹脂製の基部４２に、センサ１１Ａ  の端子群１５をそれぞれ嵌合する嵌合部４３ａ〜４３ｄが形成され、該基部４２内に嵌合挿入された端子群１５と接触する接続端子４４ａ〜４４ｄが形成される。
【００３３】
この接続端子４４ａ〜４４ｄのうち、＋接続端子４４ａ、−接続端子４４ｂ、及びＯ接続端子４４ｃからはそれぞれ基部４２外部に、＋外部端子４５ａ、−外部端子４５ｂ、及びＯ外部端子４５ｃで構成される外部端子部４５が延出される。
【００３４】
また、基部４２には、＋接続端子４４ａ及びＬ接続端子４４ｄが表出される開口部４６が形成される。この開口部４６には、短絡板（図に表われず）が形成され、脱落防止のための係合部４７ａが形成された切換え手段である樹脂製のスライドスイッチ４７が設けられる。
【００３５】
すなわち、スライドスイッチ４７をスライドさせることで＋接続端子４４ａとＬ接続端子４４ｄを短絡させることで、センサ１１Ａ  の端子群１５の＋端子及びＬ端子を短絡させて図１の説明と同様に、単一のＯ外部端子４５ｃからの出力信号を切り換えて出力させるものである。
【００３６】
すなわち、本発明のコネクタ４１を使用することで従来のセンサを使用することができるようになるものである。
【００３７】
また、図３では切換え手段をスライドスイッチ４７で形成した場合を示しているが、図２と同様にピン（固定具も含めて）を使用することができる。
【００３８】
なお、上述の実施例では透過型のフォトセンサについて説明したが、反射型のフォトセンサを用いてもよい。
【００３９】
また、上述の実施例では、センサをフォトセンサとして説明したが、これに限らず出力信号の切り換える必要のある総てのセンサに適用することができるものである。
【００４０】
【発明の効果】
以上のように本発明によれば、検出部の検出状態に応じて状態の異なる２系統の出力信号を切換え部により切り換えて、何れかの該検出信号を端子部の単一の端子より出力させることにより、製品の統一化を図ることができると共に、誤配線を防止し、出力切り換えの利便性の向上を図ることができるものである。
【図面の簡単な説明】
【図１】本発明の第１実施例の構成図である。
【図２】第１実施例の他の実施例の構成図である。
【図３】本発明の第２実施例の構成図である。
【図４】従来の透過型フォトセンサの斜視図である。
【図５】従来の反射型フォトセンサの斜視図である。
【図６】従来のフォトセンサの出力形態の説明図である。
【符号の説明】
２１  センサ
２２  本体
２４ａ  発光部
２４ｂ  受光部
２５  ＋端子
２５ａ  ＋電極
２６  −端子
２６ａ  −電極
２７ａ  Ｏ電極
２７  Ｏ端子
２８  Ｌ電極
２９  端子部
３０  開口部
３１  スライドスイッチ
３２  ピン
３２ａ  短絡板
３３  固定具
４１  コネクタ
４２  基部
４３ａ〜４３ｄ  嵌合部
４４ａ  ＋接続端子
４４ｂ  −接続端子
４４ｃ  Ｏ接続端子
４４ｄ  Ｌ接続端子
４５  外部端子部
４５ａ  ＋外部端子
４５ｂ  −外部端子
４５ｃ  Ｏ接続端子
４６  開口部
４７  スライドスイッチ
【図１】
0003565874.tif 000002
【図２】
0003565874.tif 000003
【図３】
0003565874.tif 000004
【図４】
0003565874.tif 000005
【図５】
0003565874.tif 000006
【図６】
0003565874.tif 000007